(57)【要約】【課題】  プリンタの作像パラメータ，制御パラメータあるいはその他の機能又は動作の設定情報の更新あるいは新規設定を容易にする。【解決手段】  画像データが表す画像を用紙上に形成する作像手段（２００）；作像手段による作像プロセスのパラメータを入力し設定し、作像手段による作像を指示する、入力手段（１０）；該入力手段が設定したパラメータを２次元コードに変換するパラメータ変換手段（４２０）；および、入力手段（１０）の前記作像の指示に応答して該入力手段が設定したパラメータによる前記作像手段による作像を制御し（図４の１０，図５の２９）、該入力手段が設定したパラメータの２次元コードによる印刷指示に応答して、前記作像手段により前記パラメータ変換手段が変換した２次元コードを用紙上に作像する（図４の１４−１７）、制御手段（４０２，３０１）；を備える。  【選択図】  図２
2006254172.tif 000002
【特許請求の範囲】
【請求項１】
画像データが表す画像を用紙上に形成する作像手段；
前記作像手段による作像プロセスのパラメータを入力し設定し、前記作像手段による作像を指示する、入力手段；
該入力手段が設定したパラメータを２次元コードに変換するパラメータ変換手段；および、
前記入力手段の前記作像の指示に応答して該入力手段が設定したパラメータによる前記作像手段による作像を制御し、該入力手段が設定したパラメータの２次元コードによる印刷指示に応答して、前記作像手段により前記パラメータ変換手段が変換した２次元コードを用紙上に作像する、制御手段；
を備える画像形成装置。
【請求項２】
原稿画像を読み取り原稿画像を表わす画像データを発生する原稿読み取り手段；および、
該原稿読み取り手段が発生する画像データが表す画像の２次元コードをパラメータデータに変換する２次元コード変換手段；を更に備え、
前記制御手段は、前記入力手段が設定したパラメータを、前記作像手段による作像プロセスのパラメータに設定する；請求項１に記載の画像形成装置。
【請求項３】
前記制御手段は、前記入力手段が設定したパラメータを、前記２次元コード変換手段が変換したパラメータデータに置換する；請求項１又は２に記載の画像形成装置。
【請求項４】
原稿画像を読み取り原稿画像を表わす画像データを発生する原稿読み取り手段；および、
該原稿読み取り手段が発生する画像データが表す画像の２次元コードをパラメータデータに変換する２次元コード変換手段；を更に備え、
前記制御手段は、前記２次元コード変換手段が変換したパラメータデータの、前記入力手段が設定したパラメータとの違いを表す画像を、前記作像手段により用紙上に作像する；請求項１に記載の画像形成装置。
【請求項５】
２次元コードを作像対象画像に合成する画像合成手段；を更に備え、
前記パラメータ変換手段は、ファクシミリ送信の宛て先番号を２次元コードに変換し；
前記制御手段は、前記画像合成手段により、作像対象画像に前記パラメータ変換手段が変換した前記宛て先番号の２次元コードを合成して、合成画像を前記作像手段により用紙上に作像する；請求項１乃至４のいずれか１つに記載の画像形成装置。
【請求項６】
前記画像形成装置は、原稿画像を読み取り原稿画像を表わす画像データを発生する原稿読み取り手段；該原稿読み取り手段が発生する画像データが表す画像の２次元コードをファクシミリ送信の宛て先番号データに変換する２次元コード変換手段；および、該２次元コード変換手段が変換した宛て先番号データのファクシミリ装置に前記原稿読み取り手段が読み取った画像データを送信するファクシミリ送信手段；を備える、請求項５に記載の画像形成装置。
【発明の詳細な説明】
【技術分野】
【０００１】
本発明は、用紙上に画像を形成する装置ならびにそれを用いる複写機，ファクシミリ装置および複合機能複写機に関する。
【背景技術】
【０００２】
【特許文献１】特開平  ６−２２２９１１号公報
【特許文献２】特開平  ８−１３８００７号公報
【特許文献３】特開２００３−７８７３９号公報。
【０００３】
特許文献１には、通信機器，工作機械，ロボット等のプロセッサに設定するパラメータを２次元コードで記録した複数種類のパラメータ仕様書の中の、設定しようとするパラメータ内容のパラメータ仕様書を２次元コード読み取り装置で読み取って、読み取りデータをプロセッサに直接入力することが提示されている。
【０００４】
特許文献２には、文書情報処理装置の各種設定情報を２次元コードで記録する印刷部６および２次元コード画像を読み取って元情報を認識して文書処理に設定する読み取り部４を持つ文書情報処理装置が提示されている。
【０００５】
特許文献３には、ファクシミリ原稿に記入されている宛て先番号のコードバーを画像入力装置で読み取って宛て先番号を認識して、該宛て先番号に原稿画像を送信するファクシミリ装置が記載されている。
【０００６】
ところでプリンタは、作像，制御パラメータが多く、フルカラープリンタではさらに多量のパラメータとなり、フルカラー複写機になると更に多量のパラメータとなり、ネットワーク通信機能や画像加工あるいは画像編集機能がある複合機能フルカラー複写機では更に多量のパラメータとなる。これらのパラメータは通常、ＨＤＤやＮＶＲＡＭなどの不揮発メモリに保持しているが、装置の設置環境や、使用者の使用形態に合わせて最適化するために、パラメータの設定変更が可能である。これら設定パラメータは、リストとして出力することが可能であり、現在の設定内容は、リストを見ることで、確認できる。
【発明の開示】
【発明が解決しようとする課題】
【０００７】
しかしながら、故障、あるいは買い替え等で、装置の取り替えが発生したとき、装置の設定を改めて行う必要がある。また、装置になんらかの不具合が発生したときに、別の装置でも同じ現象が発生するかどうかの確認テストを行うとき、装置の各種設定パラメータの違いを比較することがあるが、このとき、ユーザが各種設定パラメータのリストを出力し、ひとつひとつ確認しなければならず、抜け、漏れが発生しやすい。
【０００８】
また、例えばファクシミリ通信機能がある複合機能複写機では、ファクシミリ送信時に使用する宛先情報等は、１００件以上ある場合があり、ユーザがひとつひとつ設定しなければならないので、改めて設定するには、相当な時間と労力を必要とする。また、設定ミスが発生しやすくなる。
【０００９】
本発明は、プリンタの作像パラメータ，制御パラメータあるいはその他の機能又は動作の設定情報の更新あるいは新規設定を容易にすることを目的とする。
【課題を解決するための手段】
【００１０】
（１）画像データが表す画像を用紙上に形成する作像手段(200)；
前記作像手段による作像プロセスのパラメータを入力し設定し、前記作像手段による作像を指示する、入力手段(10)；
該入力手段が設定したパラメータを２次元コードに変換するパラメータ変換手段(420)；および、
前記入力手段(10)の前記作像の指示に応答して該入力手段が設定したパラメータによる前記作像手段による作像を制御し(図４の１０，図５の２９))、該入力手段が設定したパラメータの２次元コードによる印刷指示に応答して、前記作像手段により前記パラメータ変換手段が変換した２次元コードを用紙上に作像する(図４の14-17)、制御手段(402,301)；を備える画像形成装置(MF1)。
【００１１】
なお、理解を容易にするために括弧内には、図面に示し後述する実施例の対応要素又は対応事項の符号を、例示として参考までに付記した。
【発明の効果】
【００１２】
これによれば、画像形成装置の使用準備作業の負荷を軽減することができる。また、画像形成装置の不具合解析時の作業効率のアップが期待できる。
【発明を実施するための最良の形態】
【００１３】
（２）原稿画像を読み取り原稿画像を表わす画像データを発生する原稿読み取り手段(100,120)；および、
該原稿読み取り手段が発生する画像データが表す画像の２次元コードをパラメータデータに変換する２次元コード変換手段(420)；を更に備え、
前記制御手段(402,301)は、前記入力手段(10)が設定したパラメータを、前記作像手段(200)による作像プロセスのパラメータに設定する；上記（１）に記載の画像形成装置(MF1)。
【００１４】
（３）前記制御手段は、前記入力手段が設定したパラメータを、前記２次元コード変換手段が変換したパラメータデータに置換する；上記（１）又は（２）に記載の画像形成装置(MF1)。
【００１５】
（４）原稿画像を読み取り原稿画像を表わす画像データを発生する原稿読み取り手段(100,120)；および、
該原稿読み取り手段が発生する画像データが表す画像の２次元コードをパラメータデータに変換する２次元コード変換手段(420)；を更に備え、
前記制御手段(402,301)は、前記２次元コード変換手段(420)が変換したパラメータデータの、前記入力手段(10)が設定したパラメータとの違いを表す画像を、前記作像手段(200)により用紙上に作像する；上記（１）に記載の画像形成装置(MF1)。
【００１６】
（５）２次元コードを作像対象画像に合成する画像合成手段(405)；を更に備え、
前記パラメータ変換手段(420)は、ファクシミリ送信の宛て先番号を２次元コードに変換し；
前記制御手段(402,301)は、前記画像合成手段(405)により、作像対象画像に前記パラメータ変換手段(420)が変換した前記宛て先番号の２次元コードを合成して、合成画像を前記作像手段(200)により用紙上に作像する；上記（１）乃至（４）のいずれか１つに記載の画像形成装置(MF1)。
【００１７】
（６）前記画像形成装置(MF1)は、原稿画像を読み取り原稿画像を表わす画像データを発生する原稿読み取り手段(100,120)；該原稿読み取り手段が発生する画像データが表す画像の２次元コードをファクシミリ送信の宛て先番号データに変換する２次元コード変換手段(420)；および、該２次元コード変換手段が変換した宛て先番号データのファクシミリ装置に前記原稿読み取り手段が読み取った画像データを送信するファクシミリ送信手段(417)；を備える、上記（５）に記載の画像形成装置(MF1)。
【００１８】
本発明の他の目的および特徴は、図面を参照した以下の実施例の説明より明らかになろう。
【実施例１】
【００１９】
図１に、本発明の第１実施例のフルカラーデジタル複合機能複写機ＭＦ１の外観を示す。このフルカラー複写機ＭＦ１は、大略で、自動原稿送り装置（ＡＤＦ）１２０と、操作ボード１０と、カラースキャナ１００と、カラープリンタ２００の各ユニットで構成されている。なお、操作ボード１０と、ＡＤＦ１２０付きのカラースキャナ１００は、プリンタ２００から分離可能なユニットであり、カラースキャナ１００は、動力機器ドライバやセンサ入力およびコントローラを有する制御ボードを有して、エンジンコントローラ（ＣＰＵ３０１：図２）と直接または間接に通信を行いタイミング制御されて原稿画像の読取りを行う。
【００２０】
スキャナ１００およびプリンタ２００ならびに画像入出力装置（３０２：図２）を含むエンジン（３００：図２）を接続したコントローラボード（４００：図２）には、パソコンＰＣが接続したＬＡＮ(Local Area Network)が接続されており、ファクシミリコントロールユニット（ＦＣＵ  ４１７：図２）には、電話回線ＰＮ（ファクシミリ通信回線）に接続された交換器ＰＢＸが接続されている。
【００２１】
この実施例では、原稿画像読取りは、フラットベッド方式とシートスルー方式で行うことができる。すなわち、ユーザはＡＤＦ１２０を起こしてスキャナ１００のコンタクトガラス上に原稿を載せ、ＡＤＦ１２０を倒してＡＤＦ１２０下面の圧板で原稿を押さえて、フラットベッド方式の原稿走査（フラットベッド読取り）を行い、フラットベッド読取りが終わるとユーザがＡＤＦ１２０を起こして原稿を取り出すことができる。また、ユーザは、ＡＤＦ１２０の原稿トレイ上に一枚又は数枚の原稿を装着して、シートスルー読取りを行うことができる。
【００２２】
図２に、図１の複合機能複写機ＭＦ１の画像処理システムの構成を示す。複合機能複写機ＭＦ１は、原稿画像読取りおよびカラー印刷を行うエンジン３００，コントローラボード４００および操作ボード１０を含む。エンジン３００は、画像読取りおよび印刷のプロセスを制御するＣＰＵ３０１，上述のカラースキャナ１００，上述のプリンタ２００、および、ＡＳＩＣ(Application Specific IC)で構成した画像入出力処理３０２を備えている。
【００２３】
スキャナ１００の読取りユニット１１０にはＣＰＵ，ＲＯＭおよびＲＡＭがあり、該ＣＰＵが該ＲＯＭに格納されたプログラムを該ＲＡＭに書き込んで実行する事で、スキャナ１００の全体の制御を行っている。また、プロセス制御用のＣＰＵ３０１と通信線を介して接続されおり、コマンド及びデータの送受信により指令された動作を行う。読取りユニット１１０内のＣＰＵは、フィラーセンサ（原稿検知センサ），基点センサ，圧板スイッチ，冷却ファン等の検知及びＯＮ／ＯＦＦの制御をする。読取りユニット１１０内において、スキャナモータドライバが、ＣＰＵからのＰＷＭ出力によりドライブされ励磁パルスシーケンスを発生し原稿走査駆動用のパルスモータを駆動する。
【００２４】
原稿画像は、ランプレギュレータによって通電されるハロゲンランプ１０２（図２）の光量出力により照明されて、原稿の反射光すなわち光信号は、複数ミラー及びレンズを通りＲ，ＧおよびＢ読取り用の３個のラインセンサを含むＣＣＤ２０７に結像される。３ラインＣＣＤ２０７は、各ＲＧＢの各画素のアナログの画像信号をＡＦＥ１１１に出力する。ＡＦＥ１１１は、画像信号を増幅し画像データにデジタル変換しそしてシェーディング補正する画像信号処理手段である。
【００２５】
コントローラボード４００は、ＣＰＵ４０２と、ＡＳＩＣで構成された書画蓄積制御４０３と、ハードディスク装置（以下ではＨＤＤと表記）４０１と、ローカルメモリ（ＭＥＭ−Ｃ）４０６と、システムメモリ（ＭＥＭ−Ｐ）４０９と、ノースブリッジ（以下、ＮＢと記す）４０８と、サウスブリッジ（以下、ＳＢと記す）４１５と、ＮＩＣ４１０(Network Interface Card)と、ＵＳＢデバイス４１１と、ＩＥＥＥ１３９４デバイス４１２と、セントロニクスデバイス４１３他を含む。操作ボード１０は、コントローラボード４００の書画蓄積制御４０３に接続されている。ファクシミリコントロールユニット（ＦＣＵ）４１７も、書画蓄積制御４０３にＰＣＩバスで接続されている。
【００２６】
書画蓄積制御４０３は、ＨＤＤ４０１，ローカルメモリ４０６およびシステムメモリ４０９の読み書きを制御し、しかも、画像入出力装置３０２からの画像データの読込，画像入出力装置３０２への画像データの出力、ならびに、コントローラボード４００から外部（例えばＰＣ）への画像データの送出，外部からの書画情報の読込み、ならびにファクシミリ送信情報のＦＣＵ４１７への送信および受信ファクシミリ情報のＦＣＵ４１７からの読込みを制御する。書画蓄積制御４０３には、頁画像を４５°回転，９０°回転，１８０°回転などの回転処理を行う回転器４０４，画像のトリミング，マスキング，合成，付加，入れ換えその他の編集処理を行う編集器４０５、ならびに、読み書き制御４０３が与えるテキスト（ワープロ仕様の文字，数字，記号）コードを２次元コード（たとえばコードバーを表わすイメージデータ）に変換して、編集器４０５に出力し、読み書き制御４０３が与える２次元コードを表わすイメージデータは、該２次元コードが表わすテキストのコードに変換して読み書き制御４０３に出力する。
【００２７】
使用する２次元コードは、現在、作成方法も含めて、規格化されて、公開されているものに、ＱＲコード（デンソーウェーブ社），ＰＤＦ４１７（バーコード；Symbol社）などがある。どれを使用してもよいが、本実施例では２次元コードにコードバーを用いる。すなわち変換器４２０は、テキストコードを２次元コード（コードバー画像のイメージデータ）に変換し、また、コードバー画像のイメージデータはテキストコードに変換する。
【００２８】
ＣＰＵ４０２は、ＮＩＣ４１０を介してＬＡＮに接続されたパソコンＰＣあるいはインターネットを介する他のパソコンＰＣと書画情報の送受信を行うことができる。また、ＵＳＢ４１１，ＩＥＥＥ１３９４  ４１２，セントロニクス４１３を用いてパソコン，プリンタ，デジタルカメラ等と通信することができる。
【００２９】
ＳＢ４１５と、ＮＩＣ４１０と、ＵＳＢデバイス４１１と、ＩＥＥＥ１３９４デバイス４１２と、セントロニクスデバイス４１３と、ＭＬＢ４１４は、ＮＢ４０８にＰＣＩバスで接続されている。このように、ＭＬＢ４１４は、エンジン３００にＰＣＩバスを介して接続する基板である。そして、ＭＬＢ４１４は、外部から入力された書画データをイメージデータ（画像データ）に変換し、変換された画像データをエンジン３００に出力する。
【００３０】
コントローラボード４００の書画蓄積制御４０３にローカルメモリ４０６、ＨＤＤ４０１などが接続されると共に、ＣＰＵ４０２と書画蓄積制御４０３とがＣＰＵチップセットのＮＢ４０８を介して接続されている。書画蓄積制御４０３とＮＢ４０８とは、ＡＧＰ(Accelerated Graphics Port)を介して接続されている。
【００３１】
ＣＰＵ４０２は、複合機能複写機ＭＦ１の全体制御を行うものである。ＮＢ４０８は、ＣＰＵ４０２、システムメモリ４０９、ＳＢ４１５および書画蓄積制御４０３を接続するためのブリッジである。システムメモリ４０９は、複合機能複写機ＭＦ１の描画用メモリなどとして用いるメモリである。ＳＢ４１５は、ＮＢ４０８とＰＣＩバス、周辺デバイスとを接続するためのブリッジであり、ＳＢ４１５には外付けＲＯＭおよびＳＤメモリカード（以下ではＳＤカード）の読み書きをするカードＩＦ４１８が接続されている。このカードＩＦ４１８には、ＳＤカード読み書き装置（カードリーダ）が接続されており、カードリーダに装着されるＳＤカードのデータを読み取ることができ、またＳＤカードにデータを書込むことができる。
【００３２】
ローカルメモリ４０６はコピー用画像バッファ，符号バッファとして用いるメモリである。ＨＤＤ４０１は、画像データの蓄積，文書データの蓄積，プログラムの蓄積，フォントデータの蓄積，フォームの蓄積，ＬＵＴ(Look Up Table)の蓄積などを行うためのメモリである。また、操作ボード１０は、ユーザからの入力操作を受け付けると共に、ユーザに向けた表示を行う操作部である。
【００３３】
図２には、スキャナ１００およびプリンタ２００と画像入出力処理３０２との間でやり取りする画像データの流れを示す。画像入出力処理３０２には、カラー原稿スキャナ１００が原稿画像を読み取って発生するＲ，Ｇ，Ｂ画像データのそれぞれに対して読取りγ補正，ＭＴＦ補正等を行うスキャナ画像処理３０３があり、また、Ｒ，Ｇ，Ｂ画像データをプリンタ２００の、Ｃ，Ｍ，Ｙ，Ｋ各色書込みの画像表現特性に合ったｃ，ｍ，ｙ，ｋ記録色データ（印刷データ）に変換するプリンタ画像処理３０４があり、更に、書画蓄積制御４０３に原稿読取り画像データＲＧＢを出力し、書画蓄積制御４０３が出力する画像データＲＧＢをプリンタ画像処理３０４に与える画像処理Ｉ／Ｆ(Interface circuit)３０５がある。
【００３４】
白黒コピーのときには、スキャナ画像処理３０３からＧ画象データが画像処理Ｉ／Ｆ３０５に出力され、画像処理Ｉ／Ｆ３０５がＧ画像データをプリンタ画像処理３０４に出力し、プリンタ画像処理３０４がＧ画像データをｋ記録色データに変換し、必要に応じて変倍，画像加工を、そしてプリンタγ変換および階調処理をして、プリンタ２００のＣ書込みユニット２１２に出力する。書込みユニット２１２は、画像処理３０４が出力するｋ記録色データによって、光学走査ユニット２０３（図３）のレーザ発光ダイオードに通電する電流を変調又はオン，オフする。
【００３５】
カラーコピーのときは、スキャナ画像処理３０３が出力するＲＧＢ画像データが、画像処理Ｉ／Ｆ３０５および画像蓄積制御４０３を介して、ローカルメモリ４０６又はＨＤＤ４０１に一時蓄積又はＨＤＤ４０１に登録され、そして読み出されて、コピーまたは印刷に用いられ、あるいは外部に送出される。
【００３６】
プリンタ２００による登録画像データ、又は、外部から受信した画像データの印刷のときには、画像蓄積制御４０３および画像処理Ｉ／Ｆ３０５を介して画像データがプリンタ画像処理３０４に与えられる。プリンタ画像処理３０４は、画像データをｃｍｙｋ記録色データに変換してから、必要に応じて変倍，画像加工を、そしてプリンタγ変換および階調処理をして、書込みユニット２１２に出力する。
【００３７】
図３に示す様に、操作ボード１０には、液晶タッチパネル１１のほかに、テンキー１５，クリア／ストップキー１６，スタートキー１７，初期設定キー１８，モード切換えキー１９，テスト印刷キー２０，電源キー２１がある。また、図示は省略したが、液晶タッチパネル１１の左側には、ＵＲＬ，メール文，ファイル名，フォルダ名等の入力，設定用ならびに短縮登録用の、平仮名を付記したアルファベットキーボードがある。
【００３８】
電源キー２１は、省エネモード（休止モード又は低電力モード）から画像印刷が可能なスタンバイモードに、またその逆への切換えを指示するための操作キーである。省エネモードが設定されている時に電源キー２１が一回押されると、省エネモードからスタンバイモードに切換る。スタンバイモードであるときに電源キー２１が一回押されると、スタンバイモードから休止モードに切換る。テスト印刷キー２０は、設定されている印刷部数に関わらず１部だけを印刷し、印刷結果を確認するためのキーである。
【００３９】
初期設定キー１８を押す事で、機械の初期状態を任意にカスタマイズする事が可能である。省エネモードへの移行時間を設定したり、機械が収納している用紙サイズを設定したり、コピー機能のリセットキーを押したときに設定される状態を任意に設定可能である。初期設定キ−１８が操作されると、各種初期値を設定するための「初期値設定」機能ならびに「ＩＤ設定」機能，「著作権登録／設定」機能および「使用実績の出力」機能等を指定するための選択ボタンが表示される。
【００４０】
液晶タッチパネル１１には、各種機能キーならびにエンジン３００およびコントローラボード４００の動作状態を示すメッセージなどが表示される。液晶タッチパネル１１には、「コピー」機能，「スキャナ」機能，「プリント」機能，「ファクシミリ」機能，「蓄積」機能，「編集」機能，「登録」機能およびその他の機能の選択用および実行中を表わす機能選択キー１４が表示される。機能選択キー１４で指定された機能に定まった入出力画面が表示され、例えば「複写」機能が指定されているときには、図３に示すように、機能キーならびに部数及び画像形成装置の状態を示すメッセージ１２，１３が表示される。機能キー１２の中には、印刷色指定キー「黒（ＢＫ）」，「フルカラー」，「自動色選択」，「青（Ｃ）」，「赤（Ｍ）」および「黄（Ｙ）」指定キーがある。オペレータが液晶タッチパネル１１に表示されたキーにタッチすると、操作ボード１０はオペレータ入力として読み込み、選択された機能を示すキーを、指定中を表す灰色に反転表示する。また、機能の詳細を指定しなければならない場合（例えばページ印字の種類等）はキーにタッチする事で詳細機能の設定画面がポップアップ表示される。このように、液晶タッチパネル１１は、ドット表示器を使用している為、その時の最適な表示をグラフィカルに行う事が可能である。
【００４１】
図４〜図６に、コントローラボード４００のＣＰＵ４０２の、操作ボード１０および外部ＰＣからの、「コピー」指示，「読み取り」指示，「印刷」指示および「ファクシミリ」（送信）指示に応答するシステム制御と、それに対応してＣＰＵ３０１が実行するプロセス制御の概要を示す。
【００４２】
まず図４を参照する。電源投入により複写機ＭＦ１の各部に動作電圧が加わると、ＣＰＵ４０２は自身の初期化を実行しおよび他の部分の初期化（ステップ１）を待って、各部がレディになると、「入力読み取り」（ステップ２）で複写機ＭＦ１に対するユーザ入力を待ち、それがあると読み込む。なお、以下においては、括弧内にはステップという語を省略して、ステップＮｏ．数字のみを記す。なお、操作ボード１０は自身の初期化の直後には自動的に、液晶タッチパネル１１には、図３に示すコピー入力画面を示す。その後「読み取り」指示，「印刷」指示，「ファクシミリ」指示などが、機能選択キー１４のユーザ操作（タッチ）によって指示されると、指示された機能を実行する入力画面が、液晶タッチパネル１１に表示される（３，４／１１，１２／２２，２３／３７，３８）。
【００４３】
コピー入力画面を表示した状態の「入力読み取り」（５）では、Ｆａｘ（ファクシミリ）番号（送信宛て先）印字指定で複写スタートが与えられると、ＣＰＵ４０２は操作ボード１０にＦａｘ番号入力画面を表示させる。Ｆａｘ番号は、テンキー１５を用いる他に、液晶デイスプレイ１１（図３）の左隣にある、図示を省略したファクシミリ入力ボードの登録番号呼び出しキー又は短縮番号指定キーを操作することによっても、入力できる（７）。ＣＰＵ４０２は、Ｆａｘ番号入力の完了通知を操作ボード１０から受けると、操作ボード１０および書画蓄積制御４３０（変換器４２０）に、Ｆａｘ番号（テキストコード）の２次元コード（コードバー画像を表すイメージデータ）への変換とローカルメモリ４０６への蓄積を指示する（８）。そして、ＣＰＵ３０１および書画蓄積制御４０３に、２次元コード（Ｆａｘ番号）付加のコピーを指示する（９）。原稿スキャナ１００で読み取られた画像データは、画像入出力処理３０２および書画蓄積制御４０３を介してローカルメモリ４０６に蓄積され、この画像データ（１ページ画像の先端のヘッダ部の画像データ）に、Ｆａｘ番号の２次元コード画像を付加する。この合成は、ヘッダ部の元画像データを棄てて、かわりにＦａｘ番号の２次元コード画像を配置するものである。Ｆａｘ番号の付加を終えた画像データは、書画蓄積制御４０３およびから画像入出力処理３０２を経由して、プリンタ２００に出力される。なお、Ｆａｘ番号印字指定が無い複写スタートが与えられたときには、ＣＰＵ４０２は、ＣＰＵ３０１および書画蓄積制御４０３に、画像付加のない通常の複写を指示する（１０）。
【００４４】
後述の、図５に示すステップ３１〜３４と同等の処理で、他の複合機能複写機ＭＦ２の設定パラメータをリストして２次元コードに変換して印刷した用紙を、ユーザがＭＦ１の原稿スキャナ１００に読み取り原稿としてセットして、「読み取り」（図３）を指定し、「読み取り入力画面」を液晶パネル１１に表示しているときに、該画面上の「コード読み取りによる設定パラメータの変更」を指定して読み取りスタートを指示すると、ＣＰＵ４０２は、ＣＰＵ３０１に原稿画像読み取りを指示し、書画蓄積制御４０３には、読み取り画像データの、２次元コード（コードバー）画像の、テキストコード（設定パラメータ）への変換とローカルメモリ４０９への蓄積を指示する（１１〜１５）。この蓄積が終わると操作ボード１０が、設定パラメータを更新するかの問い合わせをパネル１１に表示し、ユーザが該画面にＯＫを入力すると、ＣＰＵ４０２および操作ボード１０がそれぞれ、ローカルメモリ４０９へ蓄積した設定パラメータに、ＨＤＤ４０１およびボード１０内不揮発メモリの設定データを更新する（１６，１７）。
【００４５】
この設定パラメータの更新機能を用いてユーザは、別の複写機ＭＦ２の設定パラメータをＭＦ１に移植することができる。また、複写機ＭＦ１の設定パラメータを別の複写機ＭＦ２に移植することができる。
【００４６】
ユーザが、上記「コード読み取りによる設定パラメータの変更」ではなく、「コード読み取りによる設定パラメータリストの出力」を指定して読み取りスタートを指示したときには、ＣＰＵ４０２は、ＣＰＵ３０１に原稿画像読み取りを指示し、書画蓄積制御４０３には、読み取り画像データの、２次元コード（コードバー）画像の、テキストコード（設定パラメータ）への変換とローカルメモリ４０９への蓄積を指示する（１１〜１５）。この蓄積が終わると操作ボード１０が、設定パラメータ相違部リスト出力をするかの問い合わせをパネル１１に表示し、ユーザが該画面にＯＫを入力すると、ＣＰＵ４０２および操作ボード１０がそれぞれ、ローカルメモリ４０９へ蓄積した設定パラメータの、現在ＨＤＤ４０１およびボード１０内不揮発メモリの設定パラメータとの相違を算出してリストにしてプリントアウトする（判読可能な文字印字；１８〜２１）。
【００４７】
図５を参照する。印刷入力画面を表示した状態の「入力読み取り」（２４）では、Ｆａｘ（ファクシミリ）番号（送信宛て先）印字指定で印刷スタートが与えられると、ＣＰＵ４０２は操作ボード１０にＦａｘ番号入力画面を表示させる（２６，２７）。Ｆａｘ番号は、テンキー１５を用いる他に、液晶デイスプレイ１１（図３）の左隣にある、図示を省略したファクシミリ入力ボードの登録番号呼び出しキー又は短縮番号指定キーを操作することによっても、入力できる（２７）。ＣＰＵ４０２は、Ｆａｘ番号入力の完了通知を操作ボード１０から受けると、操作ボード１０および書画蓄積制御４３０（変換器４２０）に、Ｆａｘ番号（テキストコード）の２次元コード（コードバー画像を表すイメージデータ）への変換とローカルメモリ４０６への蓄積を指示する（２８）。そして、ＣＰＵ３０１および書画蓄積制御４０３に、２次元コード（Ｆａｘ番号）付加の印刷を指示する（２９）。ローカルメモリ４０６又はＨＤＤ４０１に蓄積した印刷対象の画像データ（１ページ画像の先端のヘッダ部の画像データ）に、Ｆａｘ番号の２次元コード画像を付加する。この合成は、ヘッダ部の元画像データを棄てて、かわりにＦａｘ番号の２次元コード画像を配置するものである。Ｆａｘ番号の付加を終えた画像データは、書画蓄積制御４０３およびから画像入出力処理３０２を経由して、プリンタ２００に出力される。なお、Ｆａｘ番号印字指定が無い印刷スタートが与えられたときには、ＣＰＵ４０２は、ＣＰＵ３０１および書画蓄積制御４０３に、画像付加のない通常の印刷を指示する（３０）。
【００４８】
印刷入力画面を表示した状態の「入力読み取り」（２４）では、「パラメータリスト出力」が指定されて印刷スタートが与えられると、ＣＰＵ４０２は、ＨＤＤ４０１および操作ボード１０に登録している設定パラメータをリストしてローカルメモリ４０６に蓄積する（３１）。これを終えると操作ボード１０のパネル１１にリスト生成完了を報知し、「２次元コードの印刷」と通常の「文字印刷」の一方を選択するボタンを表示する。ユーザが２次元コードの印刷を指定して実行を入力すると、ＣＰＵ４０２は、ＣＰＵ３０１および書画蓄積制御４０３に、設定パラメータリストの２次元コードへの変換と印刷を指示する（３３）。設定パラメータリストの２次元コードは、書画蓄積制御４０３および画像入出力処理３０２を経由して、プリンタ２００に出力される（３４）。
【００４９】
ユーザが２次元コードの印刷ではなく「文字印刷」を選択して実行を入力すると、ＣＰＵ４０２は、ＣＰＵ３０１および書画蓄積制御４０３に、設定パラメータリストの印刷を指示する。ローカルメモリ４０６の設定パラメータリストは、書画蓄積制御４０３および画像入出力処理３０２を経由して、プリンタ２００に出力される（３５）。
【００５０】
上述のように複合機能複写機ＭＦ１は、設定パラメータのリスト出力時に、リストの内容を、文字で印字するか、二次元コードイメージで出力するか選択可能であり、ユーザは、使用目的に合わせて、どちらか一方を選択できる。設定内容を目視で確認したい場合は、リストの文字印字を選び、別の装置に、設定内容を移植したい場合には、二次元コードイメージ印字を選択する。
【００５１】
図６を参照する。「ファクシミリ」（図３）が指定され、ファクシミリ入力画面をパネル１１に表示しているときに、スタート指示されると、ＣＰＵ４０２は、ＣＰＵ３０１を介して原稿スキャナ１１０のコンタクトガラス上又はＡＤＦ１２０に送信原稿がセットされているかチェックする（３７〜４１）。そしてＦａｘ番号入力済（指定済）か、ＦＣＵ４１７の設定情報を参照して判定し（４２）、Ｆａｘ番号入力済であると、ＣＰＵ３０１および書画蓄積制御４０３に原稿読み取りを指示する。読み取った画像データはローカルメモリ４０６に蓄積して（４３）、ＦＣＵ４１７が送信する（４４）。
【００５２】
Ｆａｘ番号入力済（指定済）ではないとＣＰＵ４０２は、ＣＰＵ３０１および書画蓄積制御４０３に、原稿読み取りおよびＦａｘ番号認識を指示する（４５）。読み取った画像データは、ローカルメモリ４０６に蓄積するが、頁先頭のヘッダ部のイメージデータが２次元コードのものか、変換器４２０が判定し、２次元コードのものであるとそれをテキストコードに変換して、ＦＣＵ４１７に、宛て先番号として与える（４６，４７）。ＦＣＵ４１７が該宛て先番号のファクシミリに、ローカルメモリ４０６の原稿読み取り画像データを送信する（４８）。なお、変換器４２０が宛て先番号の検出に失敗したときには、これに応答してＣＰＵ４０２は、操作ボード１０に、宛て先番号入力案内を表示させ（４９）、その入力があると、そこにＦＣＵ４１７がファクシミリ送信する（４８）。
【００５３】
なお、外部（例えばＰＣ）から書画情報を与えられて印刷指示が到来したときには、ＣＰＵ４０２はコントローラボード４００において書画情報を印刷用のビットイメージデータに変換してプリンタ２００に出力する（５０−２６〜２９）。このとき、ＰＣがＦａｘ宛て先番号を指定しそれを付加する印刷を指示したときには、ＣＰＵ４０２は、図５のステップ２６〜２９を実行して、宛て先番号の２次元コードを付加した書画情報をプリントアウトする。
【００５４】
ユーザは、ファックシミリ番号を指定可能な、専用のプリンタドライバをＰＣにインストールしておけば、ＰＣのワープロソフトで作成した送信原稿を複写機ＭＦ１で印字出力する際、ファックシミリ番号を指定可能であり、複写機ＭＦ１は、ＰＣから受け取ったファクシミリ番号を、２次元コードに変換して、一緒に受け取った書画情報のヘッダ領域に付加する。なお、フッタ領域に付加するようにしてもよい。
【図面の簡単な説明】
【００５５】
【図１】本発明の１実施例の、複合機能複写機ＭＦ１の外観を示す正面図である。
【図２】図１に示す複写機ＭＦ１内の、画像処理システムの構成を示すブロック図である。
【図３】図１に示す複写機ＭＦ１の、操作ボード１０上面の一部を示す拡大平面図である。
【図４】図２に示すＣＰＵ４０２が、操作ボード１０および外部ＰＣからの、「コピー」指示，「読み取り」指示，「印刷」指示および「ファクシミリ」（送信）指示に応答して実行するシステム制御と、それに対応してＣＰＵ３０１が実行するプロセス制御の概要を示すフローチャートの一部を示す。
【図５】図２に示すＣＰＵ４０２が、操作ボード１０および外部ＰＣからの、「コピー」指示，「読み取り」指示，「印刷」指示および「ファクシミリ」（送信）指示に応答して実行するシステム制御と、それに対応してＣＰＵ３０１が実行するプロセス制御の概要を示すフローチャートの他部を示す。
【図６】図２に示すＣＰＵ４０２が、操作ボード１０および外部ＰＣからの、「コピー」指示，「読み取り」指示，「印刷」指示および「ファクシミリ」（送信）指示に応答して実行するシステム制御と、それに対応してＣＰＵ３０１が実行するプロセス制御の概要を示すフローチャートの残部を示す。
【符号の説明】
【００５６】
４２０：文字コード／２次元コード間の変換器
【図１】
2006254172.tif 000003
【図２】
2006254172.tif 000004
【図３】
2006254172.tif 000005
【図４】
2006254172.tif 000006
【図５】
2006254172.tif 000007
【図６】
2006254172.tif 000008